(57)【要約】【課題】  製本ラインが停止した際の停止要因を基づいて、不良本が存在する可能性のある結束本を特定して排出することができる製本ラインの不良本排出方法及びその装置を提供することを目的とするものである。【解決手段】  製本ラインにおいて不良の可能性がある刷本を排出する不良本排出方法であって、前記製本ラインの丁合、中綴じ、断裁、スタッカ、及び結束の各工程を経て結束本が搬送用コンベア９から搬送されており、該製本ラインが自動停止若しくは手動停止した際、前記丁合工程終端から中綴じ工程、断裁工程、スタッカ工程の移送経路上に存在する残存本を、再運転時、前記スタッカ工程により集積本束とし、該集積本束を前記結束工程に移送して不良結束本とし、自動停止若しくは手動停止による該製本ラインの停止要因別に分けて搬送用コンベア９から排出部コンベア１１に送出する不良本排出方法及びその装置である。【選択図】    図１
2005319630.tif 000002
【特許請求の範囲】
【請求項１】
製本ラインにおける丁合、中綴じ、断裁、スタッカ、及び結束の各工程を経て結束本が搬送用コンベアから搬出されており、該搬送用コンベアから不良結束本を排出する不良本排出方法であって、該製本ラインが停止し、再運転した際、前記製本ラインにおける所定経路上に存在する残存本を含む集積本束を結束し、該製本ラインの停止要因種別に分けて前記搬送用コンベアから排出することを特徴とする製本ラインの不良本排出方法。
【請求項２】
前記製本ラインの再運転時、前記スタッカ工程にて積み重ねられる所定集積本部数と、該スタッカ工程の運転停止時に積み重ねられている停止時集積本部数と、前記所定経路上に存在する残存本部数とから排出結束本数を求めることを特徴とする請求項１に記載の製本ラインの不良本排出方法。
【請求項３】
前記スタッカ工程から搬出される残存本を含む集積本束が、該スタッカ工程から搬出されて所定搬送時間が経過し、前記結束工程の搬出側所定位置に搬送された結束本を、前記搬送用コンべアから排出することを特徴とする請求項１又は２に記載の製本ラインの不良本排出方法。
【請求項４】
前記停止要因を停止発生日時及び停止種別と、前記不良結束本数と、停止時の生産カウント数とを記録し印字することを特徴とする請求項１，２又は３に記載の製本ラインの不良本排出方法。
【請求項５】
製本ラインにおいて不良本を排出する不良本排出装置において、
製本工程の順序に従って、丁合装置、中綴じ装置、断裁装置、スタッカ装置、結束装置が設けられた製本ラインに、前記不良本排出装置が付設され、前記ラインが停止した際に所定経路上に存在した残存本が含まれる不良結束本の排出結束本数を求める算出手段と、前記所定経路を通過するのに要する所定搬送時間を計時する計時手段と、該計時手段による所定搬送時間が経過し、該不良結束本が搬送用コンベアの所定位置に到来したことを検知して、前記搬送用コンベアから排出部コンベアへ不良要因種別毎に分けて排出する排出手段とを備えたことを特徴とする製本ラインの不良本排出装置。
【請求項６】
製本ラインにおいて不良本を排出する不良本排出装置において、
製本工程の順序に従って、丁合装置、中綴じ装置、断裁装置、スタッカ装置、結束装置が設けられた製本ラインに、前記不良本排出装置が付設されており、前記丁合装置の終端から中綴じ装置、断裁装置、スタッカ装置に至る移送経路で発生した不具合による自動停止若しくは手動停止による停止信号により停止した際の不良要因を判別する不良要因種別識別手段と、
前記スタッカ装置により積み重ねられる所定集積本部数と、前記停止信号により停止した際の前記スタッカ装置に積み重ねられた停止時集積本部数と、前記移送経路上に存在する残存本部数とから不良結束本として排出される不良結束本数を算出する排出結束本数算出手段と、
再運転後、前記移送経路上に存在した残存本を含む前記スタッカ装置から搬出される集積本束が、前記結束装置にて結束され不良結束本として搬送用コンベアの所定位置に搬出されるまでの所定搬送時間から該不良結束本を検出する結束位置確認手段と、
前記結束装置から搬送される前記不良結束本を、前記不良結束本数だけ前記不良要因に基づいて、前記搬送用コンベアから排出部コンベアへ不良要因種別に分けて排出する排出手段とを有することを特徴とする製本ラインの不良本排出装置。
【請求項７】
前記結束位置確認手段は、前記スタッカ装置の搬出口側、結束装置の搬入口側、及び排出部手前に設けた通過検出手段からの検出信号と、計時手段による所定搬送時間とによって、結束本の位置を確認することを特徴とする請求項６に記載の製本ラインの不良本排出装置。
【請求項８】
前記排出手段が、前記不良要因種別に基づいて、不良結束本を動作タイミングを変えて前記排出部コンベアに送り出す排出プッシャ装置を備えることを特徴とする請求項６又は７に記載の製本ラインの不良本排出装置。
【請求項９】
前記自動停止若しくは手動停止による停止信号による不良要因を、停止発生日時及び停止種別と、不良結束本数と、停止時の生産カウント数とともに記録し印字することを特徴とする請求項６，７又は８に記載の製本ラインの不良本排出装置。
【発明の詳細な説明】
【技術分野】
【０００１】
本発明は、製本ラインが不具合により一旦停止した後、製本ラインを再起動した際に、製本ラインの丁合工程終端からスタッカ装置に至る搬送経路上に残存している可能性のある不良本を排出する不良本排出方法及びその装置に関するものである。
【背景技術】
【０００２】
製本ラインは、折丁を丁合装置により丁合した後、中綴じ装置及び断裁装置を経てスタッカ装置に送り込まれ、所定部数を集積して結束装置に送り込み十字結束し、この結束本を搬送ラインに送出している。このような製本ラインでは、例えば、断裁装置にて紙詰まり等の不具合によりラインが停止した場合、詰まった刷本を取り除くなどして再運転している。
【０００３】
例えば、新聞輪転機の折機などでは、新聞紙の刷り上がり状態をチェックするため、或いは不良新聞紙が発生した際に不良新聞紙を取り除くために搬送用コンベアからその前後数部乃至十数部の新聞紙を取り除くようにしている。（例えば、特許文献１参照）
【０００４】
また、製本ラインでは、例えば中綴じ装置に針金不良検出装置を付設して折丁の背から製本用の綴針金が飛び出したり、針金落ち、未貫通、針金の曲がり等の種々の不良を検出して製本ラインから排出することが行われている。（例えば、特許文献２参照）
【０００５】
【特許文献１】特開平６−２５５８６４号公報（明細書段落〔０００２〕〜〔０００３〕，〔０００８〕，図面図７）
【特許文献２】特開平１０−５８８５４号公報（明細書全文、図面全図）
【発明の開示】
【発明が解決しようとする課題】
【０００６】
製本ラインでは、通常、特許文献２に示したような針金不良検出装置により不良を検出したり、或いは断裁装置では断裁不良を断裁不良検出装置により検出して不良本をラインから排出するといった各工程で発生した不良本を自動的に排出している。しかし、刷本等が製本ラインの搬送経路にジャミング等により詰まり、製本ラインが停止した場合、オペレータが搬送経路上の不具合を生じた刷本等を取り除き、またその前後を確認して運転を再開している。それでも製本ラインの丁合装置から結束装置の排出部までの搬送経路が長く、不具合を生じた刷本等を完全に取り除かれているか否かを判断し兼ねる面があって、搬送経路上に不良本が残存するおそれがあり、製品に不良本が混入するおそれがあった。
【０００７】
本発明は、上述のような課題に鑑みなされたものであって、製本ラインが停止した際の停止要因に基づいて、不良本が存在する可能性のある結束本を特定して排出することができる製本ラインの不良本排出方法及びその装置を提供することを目的とするものである。
【課題を解決するための手段】
【０００８】
本発明は、上記課題を達成したものであり、請求項１の発明は、製本ラインにおける丁合、中綴じ、断裁、スタッカ、及び結束の各工程を経て結束本が搬送用コンベアから搬出されており、該搬送用コンベアから不良結束本を排出する不良本排出方法であって、該製本ラインが停止し、再運転した際、前記製本ラインにおける所定経路上に存在する残存本を含む集積本束を結束し、前記製本ラインの停止要因種別に分けて前記搬送用コンベアから排出することを特徴とする製本ラインの不良本排出方法である。
【０００９】
また、請求項２の発明は、前記製本ラインの再運転時、前記スタッカ工程にて積み重ねられた所定集積本部数と、該スタッカ工程の運転停止時に積み重ねられている停止時集積本部数と、前記所定経路上に存在する残存本部数とから排出結束本数を求めることを特徴とする請求項１に記載の製本ラインの不良本排出方法である。
【００１０】
また、請求項３の発明は、前記スタッカ工程から搬出される残存本を含む集積本束が、該スタッカ工程から搬出されて所定搬送時間が経過し、前記結束工程の搬出側所定位置に搬送された結束本を、前記搬送用コンべアから排出することを特徴とする請求項１又は２に記載の製本ラインの不良本排出方法である。
【００１１】
また、請求項４の発明は、前記停止要因を停止発生日時及び停止種別と、前記不良結束本数と、停止時の生産カウント数とを記録し印字することを特徴とする請求項１，２又は３に記載の製本ラインの不良本排出方法である。
【００１２】
また、請求項５の発明は、製本ラインにおいて不良本を排出する不良本排出装置において、製本工程の順序に従って、丁合装置、中綴じ装置、断裁装置、スタッカ装置、結束装置が設けられた製本ラインに、前記不良本排出装置が付設され、前記ラインが停止した際に所定経路上に存在した残存本が含まれる不良結束本の排出結束本数を求める算出手段と、前記所定経路を通過するのに要する所定搬送時間を計時する計時手段と、該計時手段による所定搬送時間が経過し、該不良結束本が搬送用コンベアの所定位置に到来したことを検知して、前記搬送用コンベアから排出部コンベアへ不良要因種別毎に分けて排出する排出手段とを備えたことを特徴とする製本ラインの不良本排出装置である。
【００１３】
また、請求項６の発明は、製本ラインにおいて不良本を排出する不良本排出装置において、
製本工程の順序に従って、丁合装置、中綴じ装置、断裁装置、スタッカ装置、結束装置が設けられた製本ラインに、前記不良本排出装置が付設されており、前記丁合装置の終端から中綴じ装置、断裁装置、スタッカ装置に至る移送経路で発生した不具合による自動停止若しくは手動停止による停止信号により停止した際の不良要因を判別する不良要因種別識別手段と、
前記スタッカ装置により積み重ねられる所定集積本部数と、前記停止信号により停止した際の前記スタッカ装置に積み重ねられた停止時集積本部数と、前記移送経路上に存在する残存本部数とから不良結束本として排出される不良結束本数を算出する排出結束本数算出手段と、
再運転後、前記移送経路上に存在した残存本を含む前記スタッカ装置から搬出される集積本束が、前記結束装置にて結束され不良結束本として搬送用コンベアの所定位置に搬出されるまでの所定搬送時間から該不良結束本を検出する結束位置確認手段と、
前記結束装置から搬送される前記不良結束本を、前記不良結束本数だけ前記不良要因に基づいて、前記搬送用コンベアから排出部コンベアへ不良要因種別に分けて排出する排出手段とを有することを特徴とする製本ラインの不良本排出装置である。
【００１４】
また、請求項７の発明は、前記結束位置確認手段が、前記スタッカ装置の搬出口側、結束装置の搬入口側、及び排出部手前に設けた通過検出手段からの検出信号と、計時手段による所定搬送時間とによって、結束本の位置を確認することを特徴とする請求項６に記載の製本ラインの不良本排出装置であり、通過検出手段は、例えば発光素子と受光素子とからなる光電スイッチが用いられ、テーブルは制御装置の記憶領域であり、この記憶領域には最新の不良要因種別情報が書き込まれる。
【００１５】
また、請求項８の発明は、前記排出手段が、前記不良要因種別に基づいて、不良結束本を動作タイミングを変えて前記排出部コンベアに送り出す排出プッシャ装置を備えることを特徴とする請求項６又は７に記載の製本ラインの不良本排出装置であり、所定時間経過し、不良結束本が所定位置を通過したことを検知し、排出プッシャ装置を作動させて、不良結束本を停止要因種別により分けて排出することができる。なお、停止要因種別が複数であれば、複数の位置で通過検出を行い、停止要因種別に分けて排出することができる。
【００１６】
また、請求項９の発明は、前記自動停止若しくは手動停止による停止信号による不良要因を、停止発生日時及び停止種別と、不良結束本数と、停止時の生産カウント数とともに記録し印字することを特徴とする請求項６，７又は８に記載の製本ラインの不良本排出装置である。
【発明の効果】
【００１７】
請求項１の発明では、製本ラインにおける丁合、中綴じ、断裁、スタッカ、及び結束の各工程を経て結束本が搬送用コンベアから搬出されており、該搬送用コンベアから不良結束本を排出する不良本排出方法であって、該製本ラインが停止し、再運転した際、前記製本ラインにおける所定経路上に存在する残存本を含む集積本束を結束し、前記製本ラインの停止要因種別に分けて前記搬送用コンベアから排出することを特徴とする製本ラインの不良本排出方法であるので、製本ラインの丁合工程以降の全てを不良本として排出する必要はなく、丁合工程終端からスタッカ工程に至る搬送経路上に存在する残存本（不良本を含む可能性がある）を対象とすればよく、結束本を過剰に排出する必要がないし、実際の製本ラインでの不良結束本数は１又は２個程度となり、検査対象となる結束本が従来より極めて少ないし、不良要因種別に分けて排出されるので、排出結束本の良否検査が容易なものとなる。また、不良が混入した可能性のある結束本を特定して排出されるので、排出すべく結束本を間違うことなく確実に排出し、製品には良品のみが搬出されるので、製本品質の信頼性が向上する利点がある。
【００１８】
また、請求項２の発明では、前記製本ラインの再運転時、前記スタッカ工程にて積み重ねられる所定集積本部数と、該スタッカ工程の運転停止時に積み重ねられている停止時集積本部数と、前記所定経路上に存在する残存本部数とから排出結束本数を求めることを特徴とする請求項１に記載の製本ラインの不良本排出方法であるので、製本ラインの停止時、不良本が含まれている可能性のある残存本が、丁合工程終端から中綴じ工程、断裁工程終端まで移送経路上に存在し、この残存本部数は既知であり、結束本数が演算処理により算出して不良本が含まれる排出結束本数を特定することができ、結束本を過剰に排出する必要がなくなる利点がある。
【００１９】
また、請求項３の発明では、前記スタッカ工程から搬出される残存本を含む集積本束が、該スタッカ工程から搬出されて所定搬送時間が経過し、前記結束工程の搬出側所定位置に搬送された結束本を、前記搬送用コンべアから排出することを特徴とする請求項１又は２に記載の製本ラインの不良本排出方法であるので、スタッカ工程の所定位置から搬送用コンベアの搬出側所定位置まで搬送される搬送時間は一定であるので、この所定搬送時間を計時（カウント）し、所定位置に搬送されたことを検出して、残存本（不良本を含む可能性がある）が混入する可能性のある結束本を特定し確実に排出することができる利点がある。また、途中で結束本がラインから取り除かれた場合、所定時間内に結束本が到達しなので、途中で取り除かれたことが容易に検知できる利点がある。なお、搬送時間の計時は、スタッカ工程の搬出側所定位置と、結束装置の搬入側所定位置、及び結束装置の搬出側所定位置に光電スイッチを設置し、光電スイッチの動作に連動させて制御装置の計時手段（タイマ）を作動させることにより、所定搬送時間を容易に計時することができ、不良結束本が所定搬送時間に所定位置を通過しない限り、不良結束本が到来したものとは判断されないので、不良結束本を確実に排出することができる利点がある。
【００２０】
また、請求項４の発明では、前記停止要因を停止発生日時及び停止種別と、前記不良結束本数と、停止時の生産カウント数とを記録し印字することを特徴とする請求項１，２又は３に記載の製本ラインの不良本排出方法であるので、排出部コンベアに送出された不良結束本の良否を検査する際のデータとして利用できるし、生産カウント数から停止時前後の製品の追跡調査を行うこともできる利点があり、良否検査が的確にしかも容易なものとなる利点がある。
【００２１】
また、請求項５の発明では、製本ラインにおいて不良本を排出する不良本排出装置において、製本工程の順序に従って、丁合装置、中綴じ装置、断裁装置、スタッカ装置、結束装置が設けられた製本ラインに、前記不良本排出装置が付設され、前記ラインが停止した際に所定経路上に存在した残存本が含まれる不良結束本の排出結束本数を求める算出手段と、前記所定経路を通過するのに要する所定搬送時間を計時する計時手段と、該計時手段による所定搬送時間が経過し、該不良結束本が搬送用コンベアの所定位置に到来したことを検知して、前記搬送用コンベアから排出部コンベアへ不良要因種別毎に分けて排出する排出手段とを備えたことを特徴とする製本ラインの不良本排出装置であるので、不良本排出装置が製本ラインの自動停止或いは手動停止を監視して、残存本が混入する可能性のある結束本を的確に排出部コンベアに排出することができる利点があり、しかも自動若しくは手動停止信号並びに停止要因等の停止種別情報に基づいて、排出部コンベアに分けて排出されるので、良否検査が的確にしかも容易となる利点がある。
【００２２】
また、請求項６の発明では、製本ラインにおいて不良本を排出する不良本排出装置において、
製本工程の順序に従って、丁合装置、中綴じ装置、断裁装置、スタッカ装置、結束装置が設けられた製本ラインに、前記不良本排出装置が付設されており、前記丁合装置の終端から中綴じ装置、断裁装置、スタッカ装置に至る移送経路で発生した不具合による自動停止若しくは手動停止による停止信号により停止した際の不良要因を判別する不良要因種別識別手段と、
前記スタッカ装置により積み重ねられる所定集積本部数と、前記停止信号により停止した際の前記スタッカ装置に積み重ねられた停止時集積本部数と、前記移送経路上に存在する残存本部数とから不良結束本として排出される不良結束本数を算出する排出結束本数算出手段と、
再運転後、前記移送経路上に存在した残存本を含む前記スタッカ装置から搬出される集積本束が、前記結束装置にて結束され不良結束本として搬送用コンベアの所定位置に搬出されるまでの所定搬送時間から該不良結束本を検出する結束位置確認手段と、
前記結束装置から搬送される前記不良結束本を、前記不良結束本数だけ前記不良要因に基づいて、前記搬送用コンベアから排出部コンベアへ不良要因種別に分けて排出する排出手段とを有することを特徴とする製本ラインの不良本排出装置であるので、排出結束本数算出手段より排出すべき結束本数が明らかになり、その不良が混入する可能性のある結束本を結束位置確認手段により追跡することができ、特定した不良結束本を確実に排出することができる。また、製本ラインの停止が数回連続したとしても、その都度上記手段による排出結束本数が算出されるので、過剰に結束本を排出されることがないので、良否検査が容易なものとなり、製本コストを抑制することができる利点がある。
【００２３】
また、請求項７の発明では、前記結束位置確認手段が、前記スタッカ装置の搬出口側、結束装置の搬入口側、及び排出部手前に設けた通過検出手段からの検出信号と、計時手段による所定搬送時間とにより結束本の位置を確認することを特徴とする請求項６に記載の製本ラインの不良本排出装置であるので、制御装置に設けた計時手段により所定搬送時間を計時し、光電スイッチ等のセンサを用いた通過検出手段により結束本の通過検出を行い、不良本が含まれる結束本束を特定し、排出することができる利点がある。なお、スタッカ装置の搬出口側に搬送される集積本束と、排出部手前（結束装置の搬出側）に搬送される不良結束本の不良要因種別情報が、制御装置に設けたテーブル（記憶領域）に記憶しており、各テーブルには不良要因種別情報の最新情報が書き込まれ、これらの不良要因種別情報に基づいて不良結束本を特定し確実に排出できる利点があり、また、各テーブルに不良要因種別情報が書き込まれ、不良結束本が製本ラインの途中で取り除かれたとしても、所定通過位置における通過検出信号が入力されない限り、次のテーブルへのデータ送出が行われないし、製本ラインが連続して停止したとしても最新のデータに基づいて、特定した不良結束本を確実に排出することができる利点がある。
【００２４】
また、請求項８の発明では、前記排出手段が、前記不良要因種別に基づいて、不良結束本を動作タイミングを変えて前記排出部コンベアに送り出す排出プッシャ装置を備えている請求項６又は７に記載の製本ラインの不良本排出装置であるので、不良結束本が停止種別毎に分けて排出され、良否検査が容易なものとなる利点がある。例えば、不良要因種別に応じて作動する複数の光電スイッチを所定間隔に配置して、何れかの光電スイッチを不良結束本が通過した際に、その光電スイッチの検出信号、即ち不良要因種別に応じて排出プッシャ装置の駆動信号を制御装置が出力し、不良結束本が不良要因種別に確実に排出することができる利点がある。排出された結束本の良否検査が容易となる。なお、排出手段には満杯検出手段が備えられ、排出部コンベアに不良結束本が満杯になった場合に警報を発するようにし、製本ラインが数回繰り返して停止したとしても排出部コンベアから結束本が溢れて落下して結束本を汚損することがない利点がある。
【００２５】
また、請求項９の発明では、前記自動停止若しくは手動停止による停止信号による不良要因を、停止発生日時及び停止種別と、不良結束本数と、停止時の生産カウント数とともに記録し印字することを特徴とする請求項６，７又は８に記載の製本ラインの不良本排出装置であるので、排出結束本の良否の検査を行う際の資料として利用することが可能であり、良否検査を迅速に進めることができるし、不良本が発生した前後の本の状態を追跡調査することも可能である。
【発明を実施するための最良の形態】
【００２６】
以下、本発明に係る製本ラインの不良本排出方法及びその装置の実施形態について図面を参照して説明する。なお、図１は本実施形態の不良本排出装置を製本ラインに付設したブロック図、図２は不良本排出装置の制御系を示すブロック図、図３は不良要因種別に応じて不良結束本を振り分けて排出する排出機構を示す斜視図、図４は不良本を含む可能性のある結束本数を算出する処理フローであり、図５は不良要因に基づいて結束本を排出するための排出制御フローである。
【００２７】
先ず、図１を参照し製本ラインについて説明する。製本ラインには、製本の工程順番に、中綴じ丁合装置１、中綴じ装置２、断裁装置３、スタッカ装置５、結束装置８が配置されている。中綴じ丁合装置１ではフィーダから１部ずつ折丁が供給され、チェン搬送装置上に順次重ねて丁合し、丁合された１冊分の刷本を中綴じ装置２で針金で綴じ、中綴じした刷本の小口及び天地を断裁装置３にて断裁し、断裁装置３で断裁された断裁本をスタッカ装置５にて所定部数を積み重ねて集積本束とし、集積本束を結束装置８にて十字結束し結束本として搬出している。製本ラインは製本機制御装置１２より制御されている。
【００２８】
スタッカ装置５はその搬入口側に搬送用コンベア４が設けられ、断裁装置３からの断裁本が搬送用コンベア４で搬送されてスタッカ装置５に送り込まれて積み重ねられる。搬送用コンベア４は製本ラインが停止したとしても駆動し、強制的に断裁本がスタッカ装置５に送り込まれる。スタッカ装置５の搬出口側には搬送用コンベア６が設けられ、搬送用コンベア６の搬出側と結束装置８の搬入口側との間に搬送用コンベア７が設けられ、結束装置８の搬出側に搬送用コンベア９が設けられている。結束装置８は、スタッカ装置５から搬送された集積本束を結束し結束本として搬送用コンベア９から搬出し、不良結束本は搬送用コンベア９の途中に設けられた排出部コンベア１１から排出される。なお、不良結束本は全てが不良本ではなく、不良本が存在する場合と存在しない場合とがあり、排出された不良結束本に対して良否検査が行われる。
【００２９】
本実施形態の不良本排出装置は上記製本ラインに付設されている。製造ラインでは、不良本が自動的に排出されており、それ以外に刷本等が搬送経路上にジャミング等により詰まって、製造ラインが自動停止或いは手動停止させる場合があり、このような製本ラインの停止時に搬送経路上に詰まったジャム本を手作業で取り除き、その搬送経路の前後を確認して再運転を行っているが、完全に除去できない場合があり、不良本が混入するおそれがあり、本実施形態の不良本排出装置はこの不良本を排出するための装置である。
【００３０】
本実施形態の不良本排出装置には制御装置１３が設けられ、制御装置１３には製本機制御装置１２と製造ラインに付設した種々機器からの信号が入力されており、図２に示したように、制御装置１３の制御機能には、不良結束本が製本ラインの所定位置に到来したか否かを確認し特定するための結束位置確認手段１ａ、不良本が含まれる可能性のある不良結束本の本数を算出する排出結束本数算出手段１ｂ、停止要因種別Ａ，Ｂ，Ｃを区別する不良要因種別識別手段１ｃ、不良結束本を排出部コンベア１１に排出するための駆動信号を送出する不良結束本排出信号送出手段１ｄ、不良結束本が満杯であることを警告する信号を送出する満杯検出手段１ｅ、プリンタ装置１５への出力送出機能、及び停止要因種別Ａ，Ｂ，Ｃを記憶するテーブル１，２（記憶領域）や生産カウント数を格納する記憶領域を有する記憶装置等が設けられている。
【００３１】
さらに、制御装置１３には操作ボタンや手動停止ボタン等が設けられたタッチパネル装置１４とプリンタ装置１５が接続されている。制御装置１３には製本機制御装置１２と接続されるとともに、製本ラインの搬送用コンベア６，７，９に隣接して設けられた結束位置確認センサ１６〜１８、排出位置振分け用センサ１９〜２１、排出プッシャ装置１０の排出プッシャ電磁弁（図示を省略する）が接続され、製本ラインの生産数をカウントするためと、スタッカ装置５に積み重ねられている断裁本の集積本部数を計数するためのスタックカウントセンサ５ａが接続され、さらに、結束満杯検出センサ２２と警報装置２３とが接続されている。排出プッシャ装置１０は、制御装置１３の不良結束本排出信号送出手段１ｄからの出力信号により動作するようにし、同時に搬送用コンベア９を一時停止させるための制御信号が出力されている。結束満杯検出センサ２２は、排出部コンベア１１の終端部に設けられており、結束満杯検出センサ２２が作動すると、警報装置２３が結束満杯時に警報を発するようにされている。なお、結束位置確認センサ１６〜１８、排出位置振分け用センサ１９〜２１及び結束満杯検出センサ２２は、発光素子と受光素子とから構成された光電スイッチが好ましい。
【００３２】
製本機制御装置１２から自動停止或いは手動停止による停止信号が制御装置１３に入力される。中綴じ装置２及び断裁装置３内で、例えば針金不良や断裁不良が発生した場合、刷本或いは断裁本は自動的にラインから排出され、製本ラインが停止することはない。しかし、針金が脱落して装置に絡まったり、断裁片が詰まるなどの種々要因によって、刷本或いは断裁本がジャミング（不具合）等に詰まる場合があり、このような不具合を自動的に解消するのは困難である。このような不具合は、製本ラインを自動停止或いはオペレータが停止ボタンの入力操作による手動停止させて不具合発生箇所を点検し、詰まった刷本等を取り除いてから再運転しているが、完全に除去されているか否かは不確実な面があり、不良本が混入する可能性のある結束本を特定し不良結束本として排出するようにしたものである。
【００３３】
本実施形態では、製本ラインの中綴じ装置２或いは断裁装置３に不具合が生じて、自動停止若しくは手動停止したとすると、各装置からの停止信号が制御装置１３に入力される。制御装置１３では、中綴じ装置２の不具合により製本ラインが自動停止した場合、中綴じ停止に起因する不良要因Ａであると識別する。例えば、中綴じ停止要因Ａには、針金不良に起因する不具合が含まれると推定できる。また、断裁装置３の不具合による製本ラインが自動停止した場合、同様に製本機制御装置１２から停止信号により、断裁片が絡まるなどので要因で停止したもと推定し、断裁不良による不良要因Ｂと識別できる。また、手動停止の場合は中綴じ装置２或いは断裁装置３の何れかの不具合による停止であり、製本機制御装置１２から手動停止信号として入力されるので、不良要因Ｃと識別できる。これら不良要因Ａ，Ｂ，Ｃは不良要因種別識別手段１ｃにより識別できる。
【００３４】
製本ラインが停止した際、スタッカ装置５の搬送用コンベア４が駆動を継続し、搬送用コンベア４上の断裁本がスタッカ装置５内に搬送されて所定部数が積み重ねられ集積される。製本ライン停止時の停止時集積本部数は、スタックカウントセンサ５ａを介して制御装置１３に入力され、生産カウント数から算出することができる。製本ラインが停止した際に、丁合装置１の終端から中綴じ装置２、断裁装置３、スタッカ装置５に至るまで移送経路上には、刷本及び断裁本が所定部数が残存した状態となっており、不具合発生箇所の刷本或いは断裁本を取り除いて、再運転を開始するが、この搬送経路上に残存する刷本や断裁本の残存本数は既知であり、この残存本数には不良本が含まれる可能性があり、これらの残存本とスタッカ装置５に集積された停止時集積本とが、排出すべき不良結束本となる。
【００３５】
一方、製本ラインの再運転時、スタッカ装置５の搬出側の搬送用コンベア６及び結束装置８の結束本には、停止要因に起因する不良本が含まれていないので、この結束本には不良本が含まれていないので、搬送用コンベア９から排出されることなく搬送される。このように、製本ライン停止時に、丁合装置１の終端から中綴じ装置２、断裁装置３、スタッカ装置５に至る搬送経路上の残存本と、停止時、スタッカ装置５の搬出側の搬送用コンベア６に存在する集積本束及び結束装置８に存在する結束本とを区別する必要がある。
【００３６】
上記搬送経路上の残存本はスタッカ装置５に搬送し停止時集積されていた集積本に積み重ねられ、所定集積本部数の集積本束とし、この集積本束を搬送用コンベア６，７を経由して結束装置８に送り込み、結束装置８ではこの集積本束を結束し不良結束本として搬送用コンベア９から搬送し、搬送用コンベア９の途中に設けられた排出部コンベア１１から排出される。不良本が含まれる可能性のある集積本束は、搬送用コンベア６，７に付設された結束位置確認センサ１６，１７による通過確認が行われ、結束装置８に送り込まれたことを確認し、結束装置８で結束された不良結束本は、搬送用コンベア９に付設された結束位置確認センサ１８による不良結束本の通過確認が行われる。結束位置確認センサ１６から結束位置確認センサ１７までの搬送時間は一定であり、制御装置１３の計時手段により計時（カウント）して所定搬送時間が経過したことを確認して不良結束本を特定している。また、不良本が含まれる可能性がある集積本束が結束位置確認センサ１７の位置を通過して結束装置８に搬入され、結束されて結束位置確認センサ１８の位置に搬送されるまでの搬送時間も一定であるので、不良本が含まれる可能性がある不良結束本を特定することができる。この特定された不良結束本は搬送用コンベア９から排出部の排出部コンベア１１に排出される。
【００３７】
続いて、図３を参照して不良結束本の排出部について詳細に説明する。搬送用コンベア９の途中には不良結束本を排出する排出部が設けられ、排出部には搬送用コンベア９の片側に、結束本の搬送方向と直交するように排出部コンベア１１が設けられ、その反対側に排出プッシャ装置１０が設けられている。排出部の上流側には、結束位置確認用センサ１８が設けられ、センサ１８の下流側に排出位置振り分用センサ１９，２０，２１が所定の間隔で配置され、その下流に排出プッシャ装置１０及び排出部コンベア１１等が配置されている。
【００３８】
不良結束本が搬送用コンベア９で搬送されて結束位置確認用センサ１８を通過すると、不良結束本が到来したことが検出され、不良要因種別Ａ，Ｂ，Ｃに応じて排出位置振り分用センサ１９，２０，２１の何れかを検出可能な状態とし、センサ１９，２０，２１の何れかが作動してから所定時間が経過した後、搬送用コンベア９を一時停止して排出プッシャ装置１０を作動させ、不良結束本は排出部コンベア１１の所定排出位置（１），（２），（３）に振り分けて排出される。このようにして不良結束本は不良要因種別に分けられ確実に排出することができる。なお、排出部コンベア１１は排出プッシャ装置１０による不良結束本が押し出されて排出されて滑動し易いように、ローラ型コンベアが好ましい。
【００３９】
次に、本実施形態の制御装置１３にて不良結束本数を算出し不良結束本を排出する処理フローについて、図４を参照して説明する。先ず、ステップＳ１において、製本ラインが停止ボタンによる手動により停止したか否かを判断し、ＹＥＳであれば、手動停止と認識しステップＳ２に進み、製本ラインが運転を開始したい否かを判定し、ＹＥＳであれば、ステップＳ３に進む。ステップＳ３では丁合装置１の終端から中綴じ装置２、断裁装置３、スタッカ装置５において刷本、断裁本、集積本が存在するか否かを判定するステップであり、この搬送経路上に残存本が存在しない場合、排出無入力信号が制御装置１３に入力され、排出結束本が残存しないとしてステップＳ４に進み終了する。
【００４０】
ステップＳ３において、ＮＯ（残存本が存在する）であれば、ステップＳ５に進み、スタックカウントセンサ５ａからの結束本部数（所定集積本部数）Ｘを読み込み、ステップＳ６に進む。ステップＳ６において、スタッカ装置５におけるスタッカ数Ｙ（停止時集積本部数）を読み込み、続いて、ステップＳ７に進み、Ｘ−Ｙ＝Ｚを演算し不足本数Ｚを求めてステップＳ８に進む。ステップＳ８において、Ｚ≧Ｆを判定し、ＹＥＳであればステップＳ９に進み、排出すべく不良結束本は１個であると判定し終了する。また、ステップＳ８において、ＮＯであればステップＳ１０に進み、２個の不良結束本を排出すると判定し終了する。なお、Ｆは丁合装置１の終端から中綴じ装置２、断裁装置３の搬送経路上に残存する刷本及び断裁本（残存本）の部数であり、所定部数である。
【００４１】
一方、ステップＳ１において、ＮＯであれば自動停止と認識しステップＳ１１に進み、ＹＳＥであれば、ステップＳ１２に進み、１結束本部数（所定集積本部数）Ｘを読み込む、ステップＳ１３に進む。ステップＳ１３において、スタッカ装置５にスタッカ数Ｙ（停止時集積本部数）を読み込み、ステップＳ１４に進み、Ｘ−Ｙ＝Ｚを演算処理して不足本数Ｚを求めてステップＳ１５に進む。ステップＳ１５において、Ｚ≧Ｆを判定して、ＹＥＳであればステップＳ１６に進み、１結束本（１個の不良結束本）を排出し、ＮＯであればステップＳ１７に進み、２結束本（２個の不良結束本）を排出する。
【００４２】
このように、ステップＳ５〜Ｓ８，Ｓ１２〜Ｓ１５は、不良本が含まれる可能性がある残存本を結束して排出する不良結束本数を算出するべく、排出結束本数算出手段１ｂによる演算処理され、手動或いは自動停止時にスタッカ装置５に集積されている停止時集積本部数Ｙ、結束するための集積本部数Ｘ、スタッカ装置５にて断裁本を集積し所定集積部本（一結束本）とする際の不足本部数Ｚ、及び残存本部数Ｆから排出すべき結束本数が算出される。不足本部数Ｚは、（集積本部数Ｘ）−（集積本部数Ｙ）から求まり、不足本部数Ｚ≧残存本部数Ｆの関係から排出すべき結束本数が算出される。これらの処理は、制御装置１３の排出結束本数算出手段１ｂで行われる。
【００４３】
次に、本実施形態における不良結束本の不良要因種別に基づく排出動作について、図１〜図３，図５を参照し説明する。制御装置１３には計時手段と記憶装置（テーブル１，テーブル２）が設けられている。結束位置確認センサ１６，１７，１８の検出信号は、これらの位置確認データとして制御装置１３に入力される。さらに、結束位置確認センサ１６の位置から結束位置確認センサ１７の位置までの搬送時間Ｔａ、及び結束位置確認センサ１７の位置から結束位置確認センサ１８の位置までの搬送時間Ｔｂは一定であり、計時手段は、結束位置確認センサ１６，１７，１８の検出信号に基づいて、所定搬送時間である搬送時間Ｔａ，Ｔｂを計時している。また、テーブル１には結束位置確認センサ１６の位置に到来した集積本束の停止時の不良要因Ａ，Ｂ，Ｃの何れかを格納し、テーブル２には結束位置確認センサ１８に到来する不良結束本の不良要因Ａ，Ｂ，Ｃの何れかを格納し、これらのテーブル１，２には最新の不良要因情報が格納される。
【００４４】
制御装置１３の結束位置確認手段１ａは、結束位置確認センサ１６，１７，１８の検出信号と、計時手段による搬送時間Ｔａ，Ｔｂとのデータが力され、不良結束本の搬送位置を確認し、制御装置１３は確実に排出部に排出するように制御している。不良要因種別識別手段１ｃにより不良本要因種別情報Ａ，Ｂ，Ｃを識別することができる。
【００４５】
先ず、再運転時、ステップＳ２０において、スタッカ装置５から搬出された集積本束の不良本要因種別（例えば、Ａ）がテーブル１に格納され、ステップＳ２１に進み、集積本束が結束位置確認センサ１６を通過して、結束位置確認センサ１６がオンとなるのを待ち受け、集積本束が結束位置確認センサ１６を通過してセンサ１６がオン（ＹＥＳ）となると、ステップＳ２２，Ｓ２３に進む。ステップＳ２２，Ｓ２３において、結束位置確認センサ１６の検出信号に基づいて、制御装置１３の計時手段による計時を開始し、所定搬送時間が経過し、ステップＳ２４にて結束位置確認センサ１７がオンとなるのを待ち受け、オン（ＹＥＳ）となるとステップＳ２５に進み、不良本要因種別情報Ａがテーブル２に格納される。不良本を含む集積本束は搬送用コンベア７から結束装置８に送り込まれる。なお、ステップＳ２４において、ＮＯであればステップＳ２６に進み、テーブル１のデータＡは消去される。このデータ消去は不良結束本が搬送用コンベア６，７の搬送過程で集積本束が人為的に取り除かれたことを意味している。
【００４６】
続いて、ステップＳ２５からステップＳ２７に進み、集積本束が結束装置８に送り込まれて結束装置８の搬送路が回動して結束終了し集積本束が十字結束され、不良結束本として搬送用コンベア９に搬出される。ステップＳ２７において、結束終了信号を受けて、ステップＳ２８，Ｓ２９に進む。ステップＳ２８，Ｓ２９において、制御装置１３の計時手段が計時を開始し一定搬送時間が計時され、ステップＳ３０に進み、不良本要因種別情報Ａの不良結束本を待ち受ける。結束位置確認センサ１８がオンとなると、不良本要因種別情報Ａの結束本が搬送されてきたことを確認し、ステップＳ３１に進み、テーブル２に格納された不良本要因種別情報Ａが排出部の記憶領域に送り込まれる。ステップＳ３０において、ＮＯであれば、結束装置８の搬出側で人為的に取り除かれたものと判断され、テーブル２のデータは消去される。
【００４７】
ステップＳ３３〜Ｓ４０は、不良本要因種別情報がＡ，Ｂ，Ｃの何れであるかを判定して不良結束本を不良要因種別に分ける処理フローであり、不良要因種別識別手段１ｃにて処理が行われる。ステップＳ３３において、不良本要因種別情報Ａであるか否かを判定し、ＹＥＳであれば、ステップＳ３４に進み、排出位置振分け用センサ１９がオンであればステップＳ３５に進み、不良結束本排出信号送出手段１ｄからの信号に基づいて、搬送用コンベア９を停止して、ステップＳ３６にて排出プッシャ装置１０を動作させ、不良結束本は排出コンベア１１の所定位置（１）に排出される。
【００４８】
スタッカ装置３から搬出された集積本束が不良要因種別情報Ｂであったとすると、ステップＳ３３において、ＮＯであり、ステップＳ３７に進む。ステップＳ３７において、不良結束本が不良要因種別情報Ｂであるか否かを判定し、ＹＥＳであれば、ステップＳ３８に進み、排出位置振分け用センサ２０が不良結束本を待ち受け、不良結束本が通過してセンサ２０がオンとなれると、ステップＳ３５，Ｓ３６に進む。ステップＳ３５では搬送用コンベア９を停止し、ステップＳ３にて排出プッシャ装置１０を作動させて不良結束本を排出コンベア１１の所定位置（２）に排出する。また、スタッカ装置３から搬出された集積本束が不良要因種別情報Ｃであったとすると、ステップＳ３３，Ｓ３７において、ＮＯであり、ステップＳ３９に進む。ステップＳ３９において、不良結束本が不良本要因種別情報Ｃであると判定され、排出位置振分け用センサ２１が不良結束本を待ち受け、オンとなれば、ステップＳ３５，Ｓ３６に進み、搬送用コンベア９を停止し、排出プッシャ装置１０を作動させて不良結束本を排出コンベア１１の所定位置（３）に排出する。
【００４９】
また、制御装置１３の記憶装置には、製本ラインの自動停止若しくは手動停止した停止要因が、停止発生日時及び停止種別とともに記録されるとともに、不良結束本数、生産カウント数が記録されており、プリンタ装置１５は、自動停止若しくは手動停止した停止要因が、停止発生日時及び停止種別とともに、不良結束本数、生産カウント数が印字されて出力される。これらの不良要因種別、生産カウント数等により不良結束本の検品を行うことができる。
【００５０】
なお、排出機構は図３に限定することなく、結束位置確認センサ１９を一箇所設けて不良本要因種別情報Ａ，Ｂ，Ｃに基づいて、搬送用コンベア９の一時停止と排出プッシャ装置１０を動作させる動作タイミングを、制御装置１３の計時手段（タイマー）などで調整して不良要因種別毎に分けて排出するようにしてもよい。
【産業上の利用可能性】
【００５１】
本発明は、製本ラインの自動停止若しくは手動停止時に不良本が発生した可能性の高い全ての結束本を排出するようにして、製本品質を高めるようにしたものであり、種々の製本ラインにも応用できる。
【図面の簡単な説明】
【００５２】
【図１】本発明に係る製本ラインの不良本排出装置の一実施形態を製本ラインに付設したブロック図である。
【図２】本実施形態の不良要因種別に振り分けて不良結束本を排出する排出機構を示す斜視図である。
【図３】本実施形態の不良本排出装置の制御系を示すブロック図である。
【図４】本実施形態における不良本が含まれる可能性のある結束本数を算出する処理フローを示す図である。
【図５】本実施形態における不良結束本を不良要因種別に排出するための排出制御フローを示す図である。
【符号の説明】
【００５３】
１  中綴じ丁合装置
１ａ  結束位置確認手段
１ｂ  排出結束本数算出手段
１ｃ  不良要因種別識別手段
１ｄ  不良結束本排出信号送出手段
１ｅ  満杯検出手段
２  中綴じ装置
３  断裁装置
４，６，７，９  搬送用コンベア
５  スタッカ装置
５ａ  スタックカウントセンサ
８  結束装置
１０  排出プッシャ装置
１１  排出部コンベア
１２  製本機制御装置
１３  制御装置
１４  タッチパネル
１５  プリンタ
１６〜１８  結束位置確認センサ
１９〜２１  排出位置振分け用センサ
２２  結束満杯検出センサ
２３  警報装置
【図１】
2005319630.tif 000003
【図２】
2005319630.tif 000004
【図３】
2005319630.tif 000005
【図４】
2005319630.tif 000006
【図５】
2005319630.tif 000007